(57)【要約】【課題】注射前の薬液の状態を良く観察することができる共に、薬液が注射針から突出するのを確実に防止できて、安心して人体に薬液を注射できるようにする。【解決手段】容器兼用注射器１は、バイパス路２ａが形成されたシリンダ２と、バイパス路２ａの後側の後室２ｃに嵌入され、後室２ｃに充填された薬液ｍを液密に封止する前、後部ストッパー５ａ，５ｂと、ルアー先３ａを有しシリンダ２の前端に嵌着された筒先３と、シリンダ２の後端に嵌着されたフィンガーグリップ４と、後部ストッパー５ｂに連結されたプランジャーロッド６とを備え、バイパス路２ａの長さＬが前部ストッパー５ａより長く、前室２ｂの長さＬ２が後室２ｃでの前、後部ストッパー５ａ，５ｂの相互間距離Ｌ３より長く設定され、ルアー先３の通孔３ｆ内に、前室２ｂからルアー先３の先端側への薬液ｍの流れを緩和して通過させる薬液誘導部材９を装着した構成とされている。【選択図】図１
2008104623.tif 000002
【特許請求の範囲】
【請求項１】
透明な材料からなり、軸方向の中間部にシリンダ壁を外側に膨出してなるバイパス路が形成されたシリンダと、前記バイパス路の後側におけるシリンダの後室内にその軸方向に間隔をあけて嵌入され、後室内に充填された薬液を相互間で液密に封止する前部ストッパーおよび後部ストッパーと、先端に注射針を取り付けるルアー先が設けられ、基端部を前記シリンダの前端外周部に嵌着された筒先と、前記シリンダの後端外周部に設けられたフィンガーグリップと、前記シリンダの後端部からシリンダ内に挿入されて前記後部ストッパーに連結されたプランジャーロッドとを備えた容器兼用注射器であって、
前記シリンダのバイパス路の長さが前記前部ストッパーの軸長より長く設定されると共に、前記バイパス路の前側におけるシリンダの前室の長さが前記シリンダの後室内で薬液で隔てられている前記前部ストッパーと後部ストッパーの相互間距離より長く設定され、また、前記筒先のルアー先に形成されてシリンダに連通する通孔には、シリンダ側に位置して、シリンダ内から前記通孔に導入される薬液を通孔の軸線に交差する方向から軸線に沿う方向へ屈折させて通過させる薬液誘導路を設けた薬液誘導部材が装着されていることを特徴とする容器兼用注射器。
【請求項２】
前記筒先のシリンダが嵌入される嵌着穴の底部には、前記通孔に連通しそれより大径の凹部が形成され、前記薬液誘導部材は、前記通孔に嵌合される軸部と、該軸部のシリンダ側の基端部に設けられて前記凹部に没入され、前記通孔より大径で前記凹部の外径より小径に形成され、前記凹部との間に環状間隙を形成するフランジと、該フランジの前記凹部の底面側に通孔の半径方向に向けて設けた導入溝および前記軸部の外周に軸方向に沿って形成され、一端を前記導入溝に連絡され他端を前記軸部の先端に開口させた流通溝で構成される薬液誘導路とを備えていることを特徴とする請求項１に記載の容器兼用注射器。
【請求項３】
前記ルアー先の通孔は、前記嵌着穴側を大径としルアー先の先端側を小径としたテーパ孔に形成され、その嵌着穴側寄りの位置に周方向に沿って環状溝が設けられ、前記薬液誘導部材の軸部の外周には、前記通孔のテーパ孔に整合するテーパが設けられると共に、前記通孔の環状溝に嵌合する環状の突条が周方向に沿って設けられていることを特徴とする請求項２に記載の容器兼用注射器。
【請求項４】
前記凹部とフランジとの間の環状間隙におけるシリンダ側の端部には、薬液中の不溶物の環状間隙への侵入を阻止するフィルターが設けられていることを特徴とする請求項２または３に記載の容器兼用注射器。
【請求項５】
前記フランジにおけるシリンダ側の端部には、前記シリンダ内を前記環状間隙に連通させる複数の小孔を周方向に間隔をあけて配設したフランジ板が、その外周部を前記嵌着穴の底部に密着されるように設けられ、前記フィルターが前記小孔を覆うようにしてフランジ板に装着されていることを特徴とする請求項４に記載の容器兼用注射器。
【発明の詳細な説明】
【技術分野】
【０００１】
本発明は、シリンダの先端に嵌着された筒先のルアーの内部に薬液誘導部材を設けてなる容器兼用注射器に関するものである。
【背景技術】
【０００２】
従来、シリンダと、該シリンダ内の前後端側に嵌入され、シリンダ内に充填された薬液を液密に封止する前部ストッパーおよび後部ストッパーと、前記シリンダの先端に嵌着され、前部ストッパーが入り込むバイパスチャンバーおよびその先端の注射針を取り付けるためのルアー先が設けられた筒先と、前記シリンダの後端に嵌着されたフィンガーグリップと、前記シリンダの後端部からシリンダ内に挿入されて前記後部ストッパーに連結されたプランジャーロッドとを備え、使用時にプランジャーロッドによって後部ストッパーを押して薬液と共に前部ストッパーを前方へ押し進めると、該前部ストッパーがシリンダから押し出されて前記筒先のバイパスチャンバー内に入り込むことによって、前後部ストッパー間に密封されていた薬液が、先端側の密封を解除されてシリンダ内からバイパスチャンバー内に流出し、前部ストッパーとバイパスチャンバーとの隙間を流れ、該バイパスチャンバーの内壁に設けられたバイパス溝に沿ってルアー先の内面に誘導されて注射針へと導入されるようにした容器兼用注射器が知られている（例えば、特許文献１、特許文献２参照）。
【特許文献１】特公昭６２−５８７４５号公報
【特許文献２】特開平８−１４１０８１号公報
【発明の開示】
【発明が解決しようとする課題】
【０００３】
しかしながら、前記容器兼用注射器においては、密封を解除された薬液はシリンダ内から前記バイパスチャンバー内に流入し、先にバイパスチャンバー内に入った前部ストッパーの外周面と前記バイパス溝との間の狭い隙間を通って注射針に誘導されるため、人体に注射される薬液の注射直前の状態を気泡も含めて良く見ることができないという問題があった。
【０００４】
本発明は、上記事情に鑑みてなされたものであって、注射前の薬液の状態を良く観察することができる共に、薬液が注射針から突出するのを確実に防止することができて、安心して人体に薬液を注射することができる容器兼用注射器を提供することを目的とする。
【課題を解決するための手段】
【０００５】
本発明は、前記課題を解決するために、以下の点を特徴としている。
すなわち、請求項１に係る容器兼用注射器は、透明な材料からなり、軸方向の中間部にシリンダ壁を外側に膨出してなるバイパス路が形成されたシリンダと、前記バイパス路の後側におけるシリンダの後室内にその軸方向に間隔をあけて嵌入され、後室内に充填された薬液を相互間で液密に封止する前部ストッパーおよび後部ストッパーと、先端に注射針を取り付けるルアー先が設けられ、基端部を前記シリンダの前端外周部に嵌着された筒先と、前記シリンダの後端外周部に設けられたフィンガーグリップと、前記シリンダの後端部からシリンダ内に挿入されて前記後部ストッパーに連結されたプランジャーロッドとを備えた容器兼用注射器であって、前記シリンダのバイパス路の長さが前記前部ストッパーの軸長より長く設定されると共に、前記バイパス路の前側におけるシリンダの前室の長さが前記シリンダの後室内で薬液で隔てられている前記前部ストッパーと後部ストッパーの相互間距離より長く設定され、また、前記筒先のルアー先に形成されてシリンダに連通する通孔には、シリンダ側に位置して、シリンダ内から前記通孔に導入される薬液を通孔の軸線に交差する方向から軸線に沿う方向へ屈折させて通過させる薬液誘導路を設けた薬液誘導部材が装着されていることを特徴としている。
【０００６】
また、請求項２に係る容器兼用注射器は、請求項１に記載の容器兼用注射器において、前記筒先のシリンダが嵌入される嵌着穴の底部には、前記通孔に連通しそれより大径の凹部が形成され、前記薬液誘導部材は、前記通孔に嵌合される軸部と、該軸部のシリンダ側の基端部に設けられて前記凹部に没入され、前記通孔より大径で前記凹部の外径より小径に形成され、前記凹部との間に環状間隙を形成するフランジと、該フランジの前記凹部の底面側に通孔の半径方向に向けて設けた導入溝および前記軸部の外周に軸方向に沿って形成され、一端を前記導入溝に連絡され他端を前記軸部の先端に開口させた流通溝で構成される薬液誘導路とを備えていることを特徴としている。
【０００７】
また、請求項３に係る容器兼用注射器は、請求項２に記載の容器兼用注射器において、
前記ルアー先の通孔は、前記嵌着穴側を大径としルアー先の先端側を小径としたテーパ孔に形成され、その嵌着穴側寄りの位置に周方向に沿って環状溝が設けられ、前記薬液誘導部材の軸部の外周には、前記通孔のテーパ孔に整合するテーパが設けられると共に、前記通孔の環状溝に嵌合する環状の突条が周方向に沿って設けられていることを特徴としている。
【０００８】
また、請求項４に係る容器兼用注射器は、請求項２または３に記載の容器兼用注射器において、前記凹部とフランジとの間の環状間隙におけるシリンダ側の端部には、薬液中の不溶物の環状間隙への侵入を阻止するフィルターが設けられていることを特徴としている。
【０００９】
また、請求項５に係る容器兼用注射器は、請求項４に記載の容器兼用注射器において、前記フランジにおけるシリンダ側の端部には、前記シリンダ内を前記環状間隙に連通させる複数の小孔を周方向に間隔をあけて配設したフランジ板が、その外周部を前記嵌着穴の底部に密着させるように設けられ、前記フィルターが前記小孔を覆うようにしてフランジ板に装着されていることを特徴としている。
【発明の効果】
【００１０】
本発明によれば、以下の優れた効果を奏する。
請求項１に係る容器兼用注射器によれば、シリンダのバイパス路の位置に前部ストッパーが押し込まれることにより前側の密封を解除された薬液が、バイパス路より後方のシリンダの後室から前記バイパス路を通ってバイパス路の前側のシリンダの前室内に全量入り込むので、該シリンダの前室内において、従来の容器兼用注射器の筒先では見えにくかった注射前の薬液の状態を、気泡も含めて透明なシリンダの外側から良く観察することができ、一般の注射器と同じように前室内に残る気泡を注射針を通して完全に外部に排出してから、安心して薬液を人体に注射することができる。
また、前記のようにシリンダのバイパス路の位置に前部ストッパーが押し込まれることにより、前側の密封を解除された薬液がバイパス路を通って前室内に入り込む際、バイパス路の狭い通路を通過した薬液が前室内から一気にルアー先の通孔内に流れ込もうとするが、前記通孔内で薬液の流れを薬液誘導部材の薬液誘導路が効果的に緩和するので、注射針の先端から薬液が突出する水鉄砲現象を確実に防止することができる。
【００１１】
また、請求項２に係る容器兼用注射器によれば、導入溝と流通溝とにより屈折した薬液誘導溝を薬液誘導部材に容易に形成することができると共に、ルアー先の通孔内の薬液の流れを的確に緩和することができる。
【００１２】
また、請求項３に係る容器兼用注射器によれば、薬液誘導部材をルアー先の通孔に軸部を容易に挿入させて組み付けることができると共に、前記軸部の環状の突条と前記通孔の環状溝との嵌合により、前記薬液誘導部材を前記通孔内にしっかりと保持させることができる。
【００１３】
また、請求項４に係る容器兼用注射器によれば、二室式容器兼用注射器において凍結乾燥製剤を溶解液に液状に溶解させて注射する場合に、万一、シリンダ内の薬液中に乾燥製剤の不溶物が発生しても、該不溶物は薬液がシリンダ内から前記ルアー先の通孔に入る際にフィルターによって濾過されるので、前記不溶物が前記通孔を通って注射針から人体に注入されるのを確実に防止することができる。
【００１４】
また、請求項５に係る容器兼用注射器によれば、シリンダ内からルアー先の通孔内に薬液が入り込む入口部に、フランジ板によってフィルターをしっかりと安定した状態で容易に設置することができる。
【発明を実施するための最良の形態】
【００１５】
以下、本発明の一実施の形態に係る容器兼用注射器について、添付図面を参照して説明する。
図１において、１は本発明の一実施の形態に係る容器兼用注射器を示す。この容器兼用注射器１は、シリンダ２と、該シリンダ２の前端（図１で左端）の外周部に嵌着された筒先３と、前記シリンダ２の後端（図１右端）の外周部に嵌着された合成樹脂製のフィンガーグリップ４と、前記シリンダ２内にその軸方向に間隔をあけて嵌入されて往復動可能に設けられ、シリンダ２内に充填された薬液ｍを相互間で封止する前部ストッパー５ａおよび後部ストッパー５ｂと、前記シリンダ２内にその後端から挿入されて先端部を前記後部ストッパー５ｂに連結され、該後部ストッパー５ｂをシリンダ２の軸方向に往復動させるプランジャーロッド６と、前記筒先３の先端に設けたルアー先３ａに装着された注射針７と、該注射針７を覆うプロテクター８とを備えている。
【００１６】
前記シリンダ２は、透明なガラス製円筒からなり、その軸方向の中央よりやや前方に寄った中間部におけるシリンダ壁の一部を外側に膨出して形成された１つのバイパス路２ａが設けられ、該バイパス路２ａの前側（図１で左側）が前室２ｂとされ、バイパス路２ａより後側（図１で右側）が後室２ｃとされ、共に内径は同一となっている。前記バイパス路２ａのシリンダ２の軸方向における通路２ａ１の長さＬは、前記前部ストッパー５ａの軸長（厚さ）Ｌ１より長く、例えば、前部ストッパー５ａの軸長の１．３倍〜１．７倍に設定されている。
【００１７】
そして、前記前、後部ストッパー５ａ，５ｂは、それぞれ前記シリンダ２の内径より僅かに大きな外径とされ、医療用医薬品用のゴム等の材質からなる弾力性を有する材料で形成され、前部ストッパー５ａが前記後室２ｃにおけるバイパス路２ａの後端より少し後寄りに位置し、また、後部ストッパー５ｂが前部ストッパー５ａから後方へ離間してそれらの間でシリンダ２の後室２ｃ内に所定容量の薬液ｍを丁度充填し得る位置に位置してそれぞれ前記後室２ｃに嵌入され、該後室２ｃ内に充填された薬液ｍを密封するようになっている。
なお、前記シリンダ２の前室２ｂの容積は、前記後室２ｃにおける前、後部ストッパー５ａ，５ｂ間に充填された薬液ｍの容積をやや超える容積とされ、それに対応して、前室２ｂの軸長（長さ）Ｌ２が、前記後室２ｃ内で薬液ｍで隔てられている前、後部ストッパー５ａ，５ｂの相互間距離Ｌ３より長く設定されている。
【００１８】
前記筒先３は、透明な合成樹脂材料で成型して構成され、前側を閉鎖された円筒状の基端部３ｂと、該基端部３ｂの前端に結合された前記ルアー先３ａと、該ルアー先３ａの外側に間隔をあけて前記基端部３ｂの前端に結合されたルアーロック部３ｃとを備え、前記基端部３ｂの内側に形成された嵌着穴３ｄに、その底部３ｅに前端が当接するまで前記シリンダ２を嵌入させることにより、前記筒先３が前記シリンダ２の前端部に液密に嵌着されている。前記ルアー先３ａには、その軸線上に前後に貫通して内端側を前記嵌着穴３ｄの底部３ｅに開口して前記シリンダ２の前室２ｂに連絡する通孔３ｆが設けられている。
なお、前記ルアーロック部３ｃには、前記注射針７の針もとを係止するロックネジ３ｇと前記プロテクター８を係止する環状溝３ｈとが設けられている。前記筒先３はルアーロック部３ｃを設けない筒先として形成したものであってもよい。
【００１９】
そして、前記ルアー先３ａの通孔３ｆは、前記嵌着穴３ｄ側が大径とされルアー先３ａの先端側を小径とされた緩やかな傾斜のテーパ孔に形成されると共に、嵌着穴３ｄ側に寄った位置に周方向に沿って横断面が円弧状の環状溝３ｊが設けられており、また、前記嵌着穴３ｄの底部３ｅには、前記通孔３ｆより大径でありシリンダ２の内径より小径の円形の凹部３ｋが形成されている。そして、前記通孔３ｆには、その中央より前記嵌着穴３ｄ側に寄った位置に（シリンダ２側に位置して）、前記シリンダ２の前室２ｂからルアー先３ａの先端側への薬液ｍの流れを緩和して通過させる薬液誘導部材９が装着されている。
【００２０】
前記薬液誘導部材９は、図２〜図５に示すように、外周部に前記通孔３ｆのテーパ孔に整合するテーパが設けられて通孔３ｆに嵌合される軸部１０と、該軸部１０のシリンダ２側の基端部に一体に設けられ、前記通孔３ｆより大径で前記筒先３の凹部３ｋの外径より小径に形成されたフランジ１１とを備えている。
前記軸部１０の外周には、軸部１０の軸方向に沿って形成されて先端（他端）を軸部１０の先端に開口された流通溝１０ａが、軸部１０の周方向に間隔をあけて複数個（図示の例では４個）設けられると共に、前記軸方向の中央よりやや前記フランジ１１側に寄った位置に、前記通孔３ｆの環状溝３ｊに嵌合する環状の突条１０ｂが周方向に沿って設けられている。
【００２１】
前記フランジ１１は、大径の外側フランジ部１１ａと小径の内側フランジ部１１ｂとからなり、前記内側フランジ部１１ｂが前記軸部１０の基端部に一体に結合されており、前記内側フランジ部１１ｂには、前記軸部１０（通孔３ｆ）の半径方向に向けて形成され、前記流通溝１０ａの基端（一端）に連絡された複数個（図示の例では４個）の導入溝１１ｃが、前記内側フランジ部１１ｂの周方向に間隔をあけて設けられている。
そして、前記軸部１０が前記筒先３の通孔３ｆに装着された際に、軸部１０の突条１０ｂが通孔３ｆの環状溝３ｊに嵌合され、前記フランジ１１が、その内側フランジ１１ｂの端面を前記凹部３ｋの底面に当接させて該凹部３ｋに没入され、該凹部３ｋの内周壁との間に環状間隙ｅが形成されると共に、該環状溝ｅが、前記凹部３ｋの底面側にある前記内側フランジ部１１ｂの前記導入溝１１ｃを通して前記軸部１０の流通溝１０ａに連絡されている。前記流通溝１０ａと導入溝１１ｃとは、薬液ｍを前記シリンダ２内から環状間隙ｅを経て、前記通孔３ｆの軸線に直角に交差する方向からその軸線に沿う方向へ屈折させて通過させる薬液誘導路９ａを構成している。
【００２２】
なお、前記シリンダ２の前端の外周部にはリング状の突起２ｄが設けられて、該突起２ｄが前記筒先３の嵌着穴３ｄの前端部に形成されたリング状溝３ｉに嵌合されることにより、筒先３がシリンダ２の前端部に気密、液密的に嵌着され、同様に、前記シリンダ２の後端の外周部にリング状の突起２ｅが設けられて、該突起２ｅが前記フィンガーグリップ４の円筒穴部４ａに形成されたリング状溝４ｂに嵌合してしっかりとシリンダ２の後端の外周部に嵌着されている。前記フィンガーグリップ４は、シリンダ２に嵌着して設ける代わりに、シリンダ２と一体に形成して設けてもよい。
【００２３】
次に、本発明の一実施の形態に係る容器兼用注射器１の作用について図６を参照しながら説明する。
前記構成の容器兼用注射器１においては、使用時には、先ず、容器兼用注射器１を図１に示す状態から、図６（ａ）に示すように、プランジャーロッド６をゆっくりと押して後部ストッパー５ｂを介して、後室２ｃ内の薬液ｍをシリンダ２の前側へ少し送って前部ストッパー５ａを前記シリンダ２のバイパス路２ａの位置に押し込む。このとき、前部ストッパー５ａによる薬液ｍの前側の封止が解かれるので、該薬液ｍは前記バイパス路２ａの内側の通路２ａ１を通って前部ストッパー５ａの前側の前室２ｂに流れ込むこととなる。バイパス路２ａの位置に移動した前部ストッパー５ａは、シリンダ２の内壁との間の摩擦抵抗によって、薬液ｍの流動圧力では前進することなく前記バイパス路２ａの位置に止められている。
【００２４】
さらに、図６（ｂ）に示すように、前記プランジャーロッド６を押すことによって後部ストッパー５ｂの前側にある薬液ｍが順次前記バイパス路２ａの通路２ａ１を通って前部ストッパー５ａの前方へ流れて、バイパス路２ａの前側の前室２ｂ内へ移動する。ここで、前記後部ストッパー５ｂが前部ストッパー５ａの後端面に当接して、薬液ｍが前記前室２ｂ内に全て移動する。該前室２ｂに移動した薬液ｍを、使用者はシリンダ２の前室２ｂの外周側から十分に観察し、気泡も含めて薬液ｍにおける異常の有無を確認する。
【００２５】
なお、前記のようにシリンダ２のバイパス路２ａの位置に前部ストッパー５ｂが押し込まれることにより、前側の密封を解除された薬液ｍがバイパス路２ａを通って前室２ｂ内に入り込む際、バイパス路２ａの狭い通路２ａ１を通過した薬液ｍが前室２ｂ内から一気にルアー先３ａの通孔３ｆ内に流れ込もうとするが、該通孔３ｆの入口側に前記薬液誘導部材９が装着されており、前記導入溝１１ｃと流通溝１０ａからなる屈曲した薬液誘導路９ａが、通孔３ｆ内で薬液ｍの流れを効果的に緩和するので、注射針７の先端から薬液ｍが突出する水鉄砲現象が確実に防止される。
【００２６】
この後、図６（ｃ）に示すように、注射針７に被せてあるプロテクター８を前記筒先３から取り外し、薬液ｍの上部に残留する気泡があれば、前記プランジャーロッド６を適宜操作することにより、前記気泡をルアー先３ａの通孔３ｆから注射針７を通して排出する。前記シリンダ２内から気泡を完全に除去してから、図６（ｄ）に示すように、プランジャーロッド６を更に押して前部ストッパー５ａを後部ストッパー５ｂを介して前室２ｂの前端（筒先３の嵌着穴３ｄの底部３ｅ）まで前進させることにより注射を行う。
【００２７】
前記のように、容器兼用注射器１においては、前記シリンダ２の後室２ｃ内の薬液ｍが、シリンダ２のバイパス路２ａの通路２ａ１を通してシリンダ２の前室２ｂに移動する時、前記バイパス路２ａの狭い通路２ａ１を通って前室２ｂに勢い飛び込み、注射針７の先端から突出する水鉄砲現象を防止しながら、前記前室２ｂ内において、注射の直前に、薬液ｍの気泡も含めて異常の有無を、透明なシリンダ２の外周側からしっかりと観察することができ、薬液ｍに異常のないことを確認してから安心して注射を行うことができる。
【００２８】
以上説明したように、前記実施の形態に係る容器兼用注射器１は、透明な材料からなり、軸方向の中間部にシリンダ壁を外側に膨出してなるバイパス路２ａが形成されたシリンダ２と、前記バイパス路２ａの後側におけるシリンダ２の後室２ｃ内にその軸方向に間隔をあけて嵌入され、前記後室２ｃ内に充填された薬液ｍを相互間で液密に封止する前部ストッパー５ａおよび後部ストッパー５ｂと、先端に注射針７を取り付けるルアー先３ａが設けられ、基端部３ｂを前記シリンダ２の前端外周部に嵌着穴３ｄを介して嵌着された筒先３と、前記シリンダ２の後端外周部に嵌着して設けられたフィンガーグリップ４と、前記シリンダ２の後端部からシリンダ２内に挿入されて前記後部ストッパー５ｂに連結されたプランジャーロッド６とを備え、前記シリンダ２のバイパス路２ａの長さＬが前記前部ストッパー５ａの軸長Ｌ１より長く設定されると共に、前記バイパス路２ａの前側におけるシリンダ２の前室２ｂの長さＬ２が、前記シリンダ２の後室２ｃ内で薬液で隔てられている前記前部ストッパー５ａと後部ストッパー５ｂの相互間距離Ｌ３より長く設定され、また、前記筒先３のルアー先３ａに形成されてシリンダ２の前室２ｂ内に連通する通孔３ｆの内部に、シリンダ２側に位置して、シリンダ２から前記通孔３ｆに導入される薬液ｍを通孔３ｆの軸線に交差する方向から軸線に沿う方向へ屈折させて通過させる薬液誘導路９ａを設けた薬液誘導部材９が装着された構成とされている。
【００２９】
したがって、前記実施の形態に係る容器兼用注射器１によれば、シリンダ２のバイパス路２ａの位置に前部ストッパー５ａが押し込まれることにより、前側の密封を解除された薬液ｍが、バイパス路２ａより後方のシリンダ２の後室２ｃから前記バイパス路２ａを通ってバイパス路２ａの前側のシリンダ２の前室２ｂ内に全量入り込むので、該シリンダ２の前室２ｂ内において、従来の容器兼用注射器の筒先では見えにくかった注射前の薬液の状態を、気泡も含めて透明なシリンダ２の前室２ｂの外側から良く観察することができ、安心して薬液を人体に注射することができる。
【００３０】
しかも、シリンダ２の前端部に嵌着された筒先３には、従来の容器兼用注射器の筒先のように、バイパス溝を有するバイパスチャンバーが設けられておらず、シリンダ２の中間部にバイパス路２ａが設けてあり、薬液ｍが後室２ｃから通路２ａ１を通って前室２ｂへ移動するようになっている。そのため、プランジャーロッド６を押すことによって後部ストッパー５ｂの前側にある薬液ｍが前記バイパス路２ａの通路２ａ１を通って勢い良くルアー先３ａの通孔３ｆ内に流れ込もうとするが、前記通孔３ｆ内で薬液ｍの流れを前記薬液誘導部材９の薬液誘導路９ａが効果的に緩和するので、注射針７の先端から薬液ｍが突出する水鉄砲現象を確実に防止することができる。
【００３１】
また、前記実施の形態に係る容器兼用注射器１によれば、前記筒先３のシリンダ２が嵌入される嵌着穴３ｄの底部３ｅには、前記通孔３ｆに連通しそれより大径の凹部３ｋが形成され、前記薬液誘導部材９が、前記通孔３ｆに嵌合される軸部１０と、該軸部１０のシリンダ２側の基端部に設けられて前記凹部３ｋに没入され、前記通孔３ｆより大径で前記凹部３ｋの外径より小径に形成され、前記凹部３ｋとの間に環状間隙ｅを形成するフランジ１１と、該フランジ１１の前記凹部３ｋの底面側に通孔３ｆの半径方向に向けて設けた導入溝１１ｃおよび前記軸部１０の外周に軸方向に沿って形成され、一端を前記導入溝１１ｃに連絡され他端を前記軸部１０の先端に開口させた流通溝１０ａで構成される薬液誘導路９ａとを備えた構成とされているので、前記導入溝１１ｃと流通溝１０ａとにより屈折した薬液誘導路９ａを薬液誘導部材９に容易に形成することができると共に、ルアー先３ａの通孔３ｆ内の薬液の流れを的確に緩和することができる。
【００３２】
また、前記実施の形態に係る容器兼用注射器１によれば、前記ルアー先３ａの通孔３ｆが、前記嵌着穴３ｄ側を大径としルアー先３ａの先端側を小径としたテーパ孔に形成され、その嵌着穴３ｄ側寄りの位置に周方向に沿って環状溝３ｊが設けられ、前記薬液誘導部材９の軸部１０の外周に、前記通孔３ｆのテーパ孔に整合するテーパが設けられると共に、前記通孔３ｆの環状溝３ｊに嵌合する環状の突条１０ｂが周方向に沿って設けられた構成とされているので、前記薬液誘導部材９をルアー先３ａの通孔３ｆに軸部１０を容易に挿入させて組み付けることができると共に、前記軸部１０の環状の突条１０ｂと前記通孔３ｆの環状溝３ｊとの嵌合により、前記薬液誘導部材９を前記通孔３ｆ内にしっかりと保持させることができる。
【００３３】
なお、前記実施の形態に係る容器兼用注射器１においては、前記薬液誘導部材９にその周方向に間隔をあけて４個の薬液誘導路９ａを設けたが、該薬液誘導路９ａの個数は、これに限らず１個または４個以外の複数個設けてもよい。また、前記薬液誘導路９ａを薬液誘導部材９の軸部１０の外周と内側フランジ部１１ｂに設けた流通溝１０ａと導入溝１１ｃとにより、薬液誘導部材９（通孔３ｆ）の軸線に垂直に交差させて構成したが、これに限らず、前記軸部１０中にその軸線方向に向けてあけた流通孔と、この流通孔に直交して連絡するように前記フランジ１１に設けた導入孔とで構成してもよい。さらに、前記導入溝１１ｃと導入孔は、それぞれ薬液誘導部材９（通孔３ｆ）の軸線に垂直に交差させる必要はなく、傾斜して交差させるようにしてもよい。また、前記筒先３の通孔３ｆと前記薬液誘導部材９の軸部１０をそれぞれテーパ孔、テーパ軸に形成したので、組立時に通孔３ｆに軸部１０を容易に挿入して嵌合させることができて好ましいが、前記通孔３ｆと軸部１０をそれぞれ平行孔、平行軸として形成してもよい。
【００３４】
なお、前記実施の形態に係る容器兼用注射器１においては、本発明を一室式容器兼用注射器に適用した例を示したが、本発明はこれに限らず、二室式容器兼用注射器にも適用することができる。この場合は、前記バイパス路２ａより前側のシリンダ２内の容積がシリンダ内の二室の薬剤の容積の合計容積以上に相当するものとする必要があるので、容器兼用注射器の全長が多少長くなる。
また、この場合には、図７〜図１０に示すように、前記薬液誘導部材９は、前記フランジ１１の外側フランジ部１１ａにおける外端部（シリンダ２側の端部）に、前記凹部３ｋの内径より大径の円形のフランジ板１１ｄが一体に設けられると共に、該フランジ板１１ｄには、前記シリンダ２内を前記環状間隙ｅに連通させる複数の小孔１１ｅをフランジ板１１ｄの周方向に間隔をあけて配設されている。そして、前記フランジ板１１ｄは、その内側（凹部３ｋ側）面に環状に形成された網目状のフィルター１２が前記小孔１１ｅを覆うようにして接着されて装着され、その外周部が前記嵌着穴３ｄの底部３ｅに前記フィルター１２を介して密着されるように設けられている。
なお、前記フランジ板１１ｄの内面側は、前記装着穴３ｄの底部３ｅの傾斜面に整合する傾斜面に形成されている。
【００３５】
この構成によれば、二室式容器兼用注射器において、凍結乾燥製剤を溶解液に液状に溶解させて注射する場合に、万一、シリンダ２内の薬液ｍ中に乾燥製剤の不溶物が発生しても、該不溶物は、薬液ｍがシリンダ２内から前記ルアー先３ａの通孔３ｆに入る際に、前記フィルター１２によって濾過されることによって前記環状間隙ｅへの侵入を阻止されるるので、前記不溶物が前記ルアー先３ａの通孔３ｆを通って注射針７から人体に注入されるのを確実に防止することができる。
また、前記フィルター１２を前記フランジ板１１ｄの内側面に装着したが、フランジ板１１ｄの外面側に装着してもよく、このようにフランジ板１１ｄにフィルター１２を装着すると、シリンダ２内からルアー先３ａの通孔３ｆ内に薬液ｍが入り込む入口部に、フィルター１２をしっかりと安定した状態で容易に設置することができる。しかし、これに限らず、前記フィルター１２は、前記外側フランジ１１ａの外端面と装着穴３ｄの底部３ｅとに直接に接着等により設けて前記環状間隙ｅを覆うようにしてもよい。
【図面の簡単な説明】
【００３６】
【図１】本発明の一実施の形態に係る容器兼用注射器を示す縦断面図である。
【図２】同じく容器兼用注射器の筒先の縦断面図である。
【図３】同じく筒先内に設ける薬液誘導部材を示す斜視図である。
【図４】同じく薬液誘導部材の側面図である。
【図５】図４のイ矢視図である。
【図６】本発明の一実施の形態に係る容器兼用注射器の作用を示す縦断面図である。
【図７】本発明の他の実施の形態に係る容器兼用注射器における筒先を示す縦断面図である。
【図８】同じく筒先内に設ける薬液誘導部材を示す斜視図である。
【図９】同じく薬液誘導部材の側面図である。
【図１０】図９のロ矢視図である。
【符号の説明】
【００３７】
１  容器兼用注射器
２  シリンダ
２ａ  バイパス路
２ｂ  前室
２ｃ  後室
３  筒先
３ａ  ルアー先
３ｂ  基端部
３ｄ  嵌着穴
３ｆ  通孔
３ｊ  環状溝
４  フィンガーグリップ
５ａ，５ｂ  前、後部ストッパー
６  プランジャーロッド
７  注射針
８  プロテクター
９  薬液誘導部材
９ａ  薬液誘導路
１０  軸部
１０ａ  流通溝
１０ｂ  突条
１１  フランジ
１１ｃ  導入溝
１１ｄ  フランジ板
１２  フィルター
Ｌ  バイパス路の長さ
Ｌ１  前部ストッパーの長さ（軸長）
Ｌ２  前室の長さ
Ｌ３  前、後部ストッパーの相互間距離
ｍ  薬液
【図１】
2008104623.tif 000003
【図２】
2008104623.tif 000004
【図３】
2008104623.tif 000005
【図４】
2008104623.tif 000006
【図５】
2008104623.tif 000007
【図６】
2008104623.tif 000008
【図７】
2008104623.tif 000009
【図８】
2008104623.tif 000010
【図９】
2008104623.tif 000011
【図１０】
2008104623.tif 000012